(57)【特許請求の範囲】
【請求項１】
一端側が上方に向かうにしたがって拡径したロート部とされると共に、前記ロート部の拡径側が洗浄ホースが挿入される挿入部とされ、配管の端部に接続される接続部を他端側に備えた本体通路と、  
前記ロート部の側部に設けられ、前記ロート部の軸方向と直交する方向に延びる樋部と、
を備える配管洗浄治具。
【請求項２】
前記樋部の通路断面積は前記本体通路の通路断面積よりも大きく設定されている、請求項１に記載の配管洗浄治具。
【請求項３】
前記接続部には、内径が３０ｍｍ以下の前記配管が接続される、請求項１または請求項２に記載の配管洗浄治具。
【請求項４】
請求項１〜請求項３の何れか１項に記載の配管洗浄治具の前記接続部を、前記挿入部が前記接続部よりも鉛直方向上側になるように前記配管の端部に接続する接続工程と、
前記挿入部から前記配管へ洗浄ホースを挿入する挿入工程と、
前記洗浄ホースの先端から流体を噴出させる洗浄工程と、
を有する配管の洗浄方法。
【請求項５】
前記挿入部を前記配管の排水方向上流側に接続する、請求項４に記載の配管の洗浄方法。
【請求項６】
前記配管の内径は、３０ｍｍ以下である、請求項４または請求項５に記載の配管の洗浄方法。
【請求項７】
前記配管は、排水を水平方向に流す横引き管と、前記横引き管と連通し前記排水を鉛直方向下側に流す竪管とを備えるサイホン排水配管である、請求項４〜請求項６の何れか１項に記載の配管の洗浄方法。
【請求項８】
前記配管は、圧力ポンプにより排水を流す圧送排水配管である、請求項４〜請求項６の何れか１項に記載の配管の洗浄方法。
【発明の詳細な説明】
【技術分野】
【０００１】
本発明は、配管洗浄治具、及び配管の洗浄方法に関する。
【背景技術】
【０００２】
配管の内部の洗浄を行う装置として、例えば、特許文献１に記載の配管洗浄装置が知られている。
【先行技術文献】
【特許文献】
【０００３】
【特許文献１】特開２０１１―２４１６２２号公報
【発明の概要】
【発明が解決しようとする課題】
【０００４】
しかしながら、上記配管洗浄装置の洗浄ホースを配管の端部から挿入し、洗浄ホースの先端に設けたノズルから流体を噴出して配管内の洗浄を行うと、配管の端部から洗浄に用いた洗浄水が溢れ出て流出する場合があり、流出する洗浄水の処理に手間を要する。
【０００５】
本発明は上記事実を考慮し、配管の端部から溢れ出る洗浄水の処理を容易にする配管洗浄治具、及び配管の洗浄方法の提供を目的とする。
【課題を解決するための手段】
【０００６】
請求項１に記載の配管洗浄治具は、一端側が上方に向かうにしたがって拡径したロート部とされると共に、前記ロート部の拡径側が洗浄ホースが挿入される挿入部とされ、配管の端部に接続される接続部を他端側に備えた本体通路と、前記ロート部の側部に設けられ、前記ロート部の軸方向と直交する方向に延びる樋部と、を備える。
【０００７】
請求項１に記載の配管洗浄治具は、配管の洗浄を行う際に、一例として以下のように配管に接続して用いることができる。
（１）  挿入部が接続部の上側となるように配管洗浄治具の向きを設定し、配管の排水方向上流側の端部に、配管洗浄治具の接続部を接続する。
（２）  挿入部から洗浄ホースを挿入し、洗浄ホースの先端から流体、例えば洗浄水を噴射しながら配管内に送り込む。
（３）  一例として、洗浄ホースに取り付けられた洗浄水を噴射するノズルが後方噴射型の場合、洗浄水が配管の上流側へ噴射されることになるため、配管の排水方向上流側の端部から洗浄水が溢れ出るが、配管の端部から溢れ出た流体は、配管洗浄治具の本体通路及び樋部を介して樋部の端部から排出することができる。
（４）  樋部の端部から排出された流体は、バケツ等で受けることができるので、これにより、洗浄に用いた洗浄水の流出を抑制することができる。
【００１２】
請求項２に記載の発明は、請求項１に記載の配管洗浄治具において、前記樋部の通路断面積は前記本体通路の通路断面積よりも大きく設定されている。
【００１３】
樋部の通路断面積を本体通路の通路断面積よりも大きく設定することで、配管から溢れ出た流体が樋部を流れ易くなり、流体が挿入部側へ流れることを抑制できる。通路断面積とは、通路を長手方向に対して直角に切断したときの断面積のことである。
【００１４】
請求項３に記載の発明は、請求項１または請求項２に記載の配管洗浄治具において、前記接続部には、内径が３０ｍｍ以下の前記配管が接続される。
【００１５】
請求項３に記載の配管洗浄治具では、接続部に、内径が３０ｍｍ以下の配管を接続することができる。比較的呼び径の大きな配管に洗浄ホースを挿入して配管の洗浄を行う場合、洗浄水は、配管の下流側の端部から排出されるので、逆流して上流側の端部から溢れる虞は少ない。一方、比較的呼び径の小さな配管に洗浄ホースを挿入して配管の洗浄を行う場合、特に洗浄水を洗浄ホースの後方に向けて噴射する場合には、洗浄水は、洗浄ホースの挿入側へ流れ易い。
【００１６】
したがって、内径が３０ｍｍ以下の小口径の配管に洗浄ホースを挿入し、洗浄ホースの先端から洗浄水を噴射して配管内の洗浄行うと、洗浄水は、上流側へ逆流し易く、洗浄水が洗浄ホースの挿入方向と反対方向に逆流すると、逆流した洗浄水が配管の端部から溢れて流出し易い。
【００１７】
しかしながら、本願発明の配管洗浄治具を用いて配管の洗浄を行うことで、配管から溢れた洗浄水をバケツ等で受けることができるので、内径が３０ｍｍ以下の小口径の配管において発生し易い洗浄水の流出を抑制することができる。したがって、内径が３０ｍｍ以下の小口径の配管を洗浄する際に配管洗浄治具を用いることが好適である。
【００１８】
請求項４に記載の配管の洗浄方法は、請求項１〜請求項３の何れか１項に記載の配管洗浄治具の前記接続部を、前記挿入部が前記接続部よりも鉛直方向上側になるように前記配管の端部に接続する接続工程と、前記挿入部から前記配管へ洗浄ホースを挿入する挿入工程と、前記洗浄ホースの先端から流体を噴出させる洗浄工程と、を有する。
【００１９】
請求項４に記載の配管の洗浄方法は、請求項１〜請求項３の何れか１項に記載の配管洗浄治具を用いて行われる。
先ず、接続工程では、配管洗浄治具の接続部を、挿入部が接続部よりも鉛直方向の上側になるように配管の端部に接続する。
挿入工程では、挿入部から配管へ洗浄ホースを挿入する。
洗浄工程では、洗浄ホースの先端から流体を噴出させ、配管内の洗浄を行う。洗浄に用いた流体は、樋部の端部から排出され、バケツ等の流体受けで受けることができる。これにより、洗浄に用いた流体の流出を抑制することができる。
【００２０】
請求項５に記載の発明は、請求項４に記載の配管の洗浄方法において、前記挿入部を前記配管の排水方向上流側に接続する。
【００２１】
請求項５に記載の配管の洗浄方法では、挿入部が配管の排水方向上流側に接続され、配管の上流側から洗浄ホースが挿入されて配管の洗浄が行われる。
【００２２】
請求項６に記載の発明は、前記配管の内径は、３０ｍｍ以下である、請求項４または請求項５に記載の配管の洗浄方法。
【００２３】
請求項６に記載の配管の洗浄方法では、接続部に、内径が３０ｍｍ以下の配管が接続される。内径が３０ｍｍ以下の小口径の配管に洗浄ホースを挿入し、洗浄ホースの先端から流体を噴射して配管内の洗浄を行い、流体が洗浄ホースの挿入方向と反対方向に逆流すると、逆流した流体が配管の端部から溢れて流出し易い。請求項６に記載の配管の洗浄方法では、請求項４または請求項５に記載の配管洗浄治具を用いて配管の洗浄を行うので、配管から溢れた洗浄水を樋部を介してバケツ等で受けることができ、内径が３０ｍｍ以下の小口径の配管において発生し易い流体の流出を抑制することができる。
【００２４】
請求項７に記載の発明は、請求項４〜請求項６の何れか１項に記載の配管の洗浄方法において、前記配管は、排水を水平方向に流す横引き管と、前記横引き管と連通し前記排水を鉛直方向下側に流す竪管とを備えるサイホン排水配管である。
【００２５】
請求項７に記載の配管の洗浄方法では、横引き管の端部に配管洗浄治具を接続し、挿入部からサイホン排水管へ洗浄ホースを挿入し、サイホン排水管の横引き管と竪管の洗浄を行うことができる。
【００２６】
請求項８に記載の発明は、請求項４〜請求項６の何れか１項に記載の配管の洗浄方法において、前記配管は、圧力ポンプにより排水を流す圧送排水配管である。
【００２７】
請求項８に記載の配管の洗浄方法では、圧送排水配管の端部に配管洗浄治具を接続し、挿入部から圧送排水配管へ洗浄ホースを挿入し、圧送排水配管の洗浄を行うことができる。
【発明の効果】
【００２８】
以上説明したように本発明の配管洗浄治具によれば、洗浄に用いた流体の流出を抑制することができ、また、配管の汚れの除去の他、配管の閉塞物の除去にも対応可能である、という優れた効果を有する。
また、本発明の配管の洗浄方法によれば、洗浄に用いた流体の流出を抑制でき、また、配管の汚れの除去の他、配管の閉塞物の除去にも対応可能である、という優れた効果を有する。
【図面の簡単な説明】
【００２９】
【図１】サイホン排水システムを示す側面図である。
【図２】参考例に係る配管洗浄治具の断面図である。
【図３】横引き管に接続した配管洗浄治具、及び配管洗浄装置を示す側面図である。
【図４】横引き管に接続した配管洗浄装置を示す断面図である。
【図５】図２に示す配管洗浄装置の５−５線断面図である。
【図６】実施形態に係る配管洗浄治具を示す斜視図である。
【図７】トラップに接続した配管洗浄治具を示す側面図である。
【図８】Ｙ型のチーズを用いた配管洗浄治具を示す側面図である。
【図９】洗浄水を袋で回収する配管洗浄装置を示す側面図である。
【発明を実施するための形態】
【００３０】
［参考例］
図１〜図５を用いて、参考例に係る配管洗浄治具３０、及び配管洗浄治具３０を用いた配管の洗浄方法について説明する。
先ず、図１を用いて洗浄を行うサイホン排水システム１２の全体構成を説明する。本参考例では、サイホン排水システム１２を複数階で構成された集合住宅に用いた例について説明する。
【００３１】
サイホン排水システム１２は、排水を下方へ流す立て管１４を備えている。この立て管１４は、集合住宅の上下方向に延設され、集合住宅の各階のスラブ１６を貫通している。集合住宅の各階の各戸には、排水がなされる水廻り器具１８が設けられている。水廻り器具１８は、排水を行う器具のことであり、例えば、台所流し、洗面台、洗濯機、ユニットバス等の風呂、トイレ等を挙げることができるが、他のものであっても良い。
【００３２】
水廻り器具１８には、トラップ２０が取り付けられている。トラップ２０の排水方向下流側には、サイホン排水管２２が配置されている。トラップ２０とサイホン排水管２２とは着脱可能に接続されている。本参考例のサイホン排水管２２は、本発明の配管に相当するものである。
【００３３】
サイホン排水管２２は、スラブ１６の上に配置される横引き管２４と、この横引き管２４と連通する竪管２６とを含んで構成されている。竪管２６は、排水を落下させることによりサイホン力を発生させて排水を誘導するものである。竪管２６は、立て管１４に沿って、上下方向に配設されている。竪管２６は、排水継手１０を介して立て管１４同士を連結する合流継手２８に連結されている。本参考例のサイホン排水管２２には、内径２１．２ｍｍ（ＪＩＳＫ６７７８及びＪＩＳＫ６７９２に定められるＪ種管の呼び径が２０Ａの合成樹脂製のパイプが用いられている。
【００３４】
サイホン排水システム１２においては、水廻り器具１８から排出された排水がサイホン排水管２２に流入し、サイホン排水管２２の水平部をなす横引き管２４及びサイホン排水管２２の垂下部をなす竪管２６を満たす。サイホン排水管２２の竪管２６が排水で満たされると、竪管２６内の排水は重力により落下し、竪管２６の内部に竪管２６における水頭差に対応する吸引力、即ちサイホン力が発生する。横引き管２４内の排水は、前記サイホン力によって竪管２６に向かって吸引され、サイホン排水管２２内が排水で満たされる所謂満流流れとなってサイホン排水管２２内を流下する。
【００３５】
なお、本参考例では、横引き管２４の排水方向上流側の一部が、鉛直方向上方に曲げられており、鉛直方向上方に曲げられた鉛直部２４Ａの上端部分がトラップ２０に接続される。
【００３６】
（配管洗浄治具）
次に、図２にしたがって、サイホン排水管２２の配管内部を洗浄する際に用いる配管洗浄治具３０を説明する。
図２に示すように、配管洗浄治具３０は、側面視で略Ｔ字形状を呈した合成樹脂製の配管接続部材であるチーズ３２、直線状とされた合成樹脂製の延長パイプ３４、直線状とされた合成樹脂製の分岐パイプ３６、及び側面視で略Ｌ字形状を呈した合成樹脂製の配管接続部材であるエルボ３８を含んで構成されている。
【００３７】
延長パイプ３４、及び分岐パイプ３６は、断面円形のパイプであり、本参考例では、呼び径が２０Ａのパイプが用いられている。なお、これらチーズ３２、延長パイプ３４、分岐パイプ３６、及びエルボ３８は、市販品を用いることができる。
【００３８】
チーズ３２は、第１の方向（矢印Ａ方向）と第１の方向とは反対方向である第２の方向（矢印Ｂ方向）とに沿って延びる本管部４０、及び本管部４０の長手方向中間部から第１の方向と第２の方向とは直交する方向（矢印Ｃ方向）に延びる分岐管部４２を備えている。
【００３９】
本管部４０の通路４０Ａの長手方向中間部に、分岐管部４２の通路４２Ａの一端が接続されて開口している。本管部４０の通路４０Ａは、長手方向に直角な断面形状が円形である。また、分岐管部４２の通路４２Ａも、長手方向に直角な断面形状が円形である。
【００４０】
本管部４０の第２の方向側（矢印Ｂ方向側）には、横引き管２４の排水方向上流側の端部が挿入される第１の拡径部４４が設けられている。この第１の拡径部４４は、本発明の接続部に相当している。通路４０Ａは、長手方向中間部分が小径に形成されており、第１の拡径部４４においては、長手方向中間部分に比較して大径に形成され、かつ端部側から奥側に向けて若干径が小さくなっている。したがって、第１の拡径部４４に横引き管２４を差し込むことで横引き管２４と第１の拡径部４４とが密着し、流体の漏れを抑制するようにシールが行われる。即ち、本参考例の第１の拡径部４４は、呼び径が２０Ａのパイプが接続されるように構成されているものである。
【００４１】
このように、横引き管２４を第１の拡径部４４に圧入することで、横引き管２４にチーズ３２を接続することができ、なお、チーズ３２を横引き管２４の軸方向に沿って横引き管２４から離間する方向へ強制的に引っ張ることで、チーズ３２と横引き管２４との接続を容易に解除することができる。
【００４２】
本管部４０の第１の方向側（矢印Ａ方向側）には、第２の拡径部４６が設けられている。第２の拡径部４６は、第１の拡径部４４と同様の構成とされており、延長パイプ３４が押し込まれて接続されている。なお、延長パイプ３４は、第２の拡径部４６に接着剤等で固定しても良い。
【００４３】
延長パイプ３４のチーズ３２側と反対側の端部は、延長パイプ３４の軸方向に対して直角に形成されており、後述する配管洗浄装置５６の洗浄ホース６０を挿入する挿入部４８となっている。
【００４４】
分岐管部４２は、第１の拡径部４４と同様の構成とされており、分岐パイプ３６の一端側が押し込まれて接続されている。なお、分岐パイプ３６は、分岐管部４２に接着剤等で固定しても良い。
【００４５】
分岐パイプ３６の他端側には、エルボ３８が配置されている。エルボ３８には、一端側に第１の拡径部５２が設けられており、他端側に第１の拡径部５２と同様の構成とされた第２の拡径部５４が設けられている。エルボ３８の第１の拡径部５２、及び第２の拡径部５４は、前述したチーズ３２の第１の拡径部４４と同様の構成とされている。
【００４６】
分岐パイプ３６の他端は、エルボ３８の第１の拡径部５２に挿入されている。エルボ３８の第２の拡径部５４は、第２の方向（矢印Ｂ方向）に向けられている。なお、分岐パイプ３６とエルボ３８の第１の拡径部５２とを接着剤等で固定しても良い。
【００４７】
なお、本参考例の配管洗浄治具３０において、分岐管部４２の通路４２Ａの上端から鉛直方向上側に位置するチーズ３２の本管部４０及び延長パイプ３４が、一時的に洗浄水を溜めることが可能なバッファ６５となっている。
また、本参考例の配管洗浄治具３０において、延長パイプ３４と、チーズ３２の本管部４０とが本発明の本体通路に相当し、分岐管部４２と、分岐パイプ３６と、エルボ３８とが本発明の分岐通路に相当する。
【００４８】
（洗浄方法）
次に、本参考例の配管洗浄治具３０を用いたサイホン排水管２２の洗浄方法を以下に説明する。
先ず、図３にしたがって、サイホン排水管２２の洗浄に用いる配管洗浄装置５６を説明する。配管洗浄装置５６は、高圧ポンプを備えた装置本体５８と、洗浄ホース６０とを有している。図４に示すように、洗浄ホース６０は、ホース本体部６２、及び装置本体５８から送り出された高圧の洗浄水を噴射する噴射ノズル６４を備えている。
【００４９】
噴射ノズル６４としては、洗浄水を後方へ噴射する後方噴射型のものや、洗浄水を前方へ噴射する前方噴射型のものや、前方及び後方の両方に噴射可能なハイブリッドの前方・後方噴射型のものがある。なお、後方噴射型は、洗浄水を後方噴射することで、推進力が得られる。サイホン排水管２２のように径が小さい管では、前方噴射型の噴射ノズルでは通管し難いため、後方噴射による洗浄が適している。本参考例の噴射ノズル６４は、洗浄水を後方、即ち、ホース本体部側へ噴射する後方噴射型のものである。
【００５０】
次に、サイホン排水管２２の洗浄工程を説明する。
（１）  図３に示すように、横引き管２４からトラップ２０（図３では図示省略）を外し、延長パイプ３４の挿入部４８が上側、チーズ３２の第１の拡径部４４が下側となるように配管洗浄治具３０の向きを設定し、横引き管２４の上端を配管洗浄治具３０の第１の拡径部４４に圧入する。
【００５１】
（２）  配管洗浄治具３０のエルボ３８の下側に、バケツ等の洗浄水受け６６を配置する。
【００５２】
（３）  図４に示すように、延長パイプ３４の挿入部４８から洗浄ホース６０を挿入し、横引き管２４の内部に噴射ノズル６４を配置する。その後、噴射ノズル６４から洗浄水を噴射しながら洗浄ホース６０をサイホン排水管２２の下流側に送り込む。
【００５３】
（４）  噴射ノズル６４から横引き管２４の排水方向上流側に洗浄水が噴出することで、横引き管２４の管内壁の洗浄が行われる。噴射ノズル６４から噴出された洗浄水は、サイホン排水管２２の管内壁に付着した汚れ等を洗浄しつつ、これらの汚れと共に主として横引き管２４の排水方向上流側へ流れ、横引き管２４の上端から溢れ出る。横引き管２４の上端から溢れ出た洗浄水は、その後、矢印Ｄで示すように、配管洗浄治具３０の分岐管部４２を介してエルボ３８の第２の拡径部５４から下方へ排出されて洗浄水受け６６に溜まる。
【００５４】
また、本参考例では、分岐管部４２の通路４２Ａの上端から鉛直方向上側にバッファ６５が設けられているため、一時的に洗浄水を溜めることが可能となっている。横引き管２４の上端から溢れた洗浄水は、一部が矢印Ｅで示すように上方に向けて流れて延長パイプ３４の内部、即ち、バッファ６５の内部に一時的に進入するが、最終的には分岐管部４２へ流れ込む。したがって、横引き管２４の上端から溢れた洗浄水が延長パイプ３４の上端である挿入部４８まで至ることは無く、横引き管２４の上端から溢れた洗浄水が延長パイプ３４の上端である挿入部４８から溢れ出て流出することは抑制される。
【００５５】
ちなみに、図５に示すように、延長パイプ３４の挿入部４８から分岐管部４２の通路４２Ａまでの最短距離をＬminとしたときに、最短距離Ｌminは５０ｍｍ以上とすることが好ましく、１００ｍｍ以上とすることがより好ましい。本参考例における、最短距離Ｌminは、分岐管部４２の通路４２Ａの上端から延長パイプ３４の内壁面の上端である挿入部４８までの延長パイプ３４の軸方向に沿って計測した距離である。
【００５６】
最短距離Ｌminを５０ｍｍ以上とすることで、横引き管２４の上端から溢れた洗浄水が延長パイプ３４の挿入部４８まで至り難くなり、洗浄水が挿入部４８から溢れて流出する抑制効果がより確実に得られようになる。なお、最短距離Ｌminは、横引き管２４の上端から溢れでる洗浄水の水量、及び勢い等を考慮して、延長パイプ３４の挿入部４８から洗浄水が溢れ出ないように余裕を持って設定することが好ましい。なお、本参考例では、最短距離Ｌminを１００ｍｍとしている。
【００５７】
このように、サイホン排水管２２の洗浄を行う際に、本参考例の配管洗浄治具３０を用いることで、サイホン排水管２２から溢れた洗浄水の流出を抑制することができる。
【００５８】
［実施形態］
図６にしたがって、本発明の実施形態に係る配管洗浄治具６８を説明する。
図６に示すように、本実施形態の配管洗浄治具６８は、上方に向かうにしたがって拡径する略円錐形状のロート部７０と、ロート部７０の下端側の頂部側に設けられた管状の接続部７２と、ロート部７０の側部に設けられ、ロート部７０の軸方向と直交する方向、即ち水平方向に延びる樋部７４とを含んで構成されている。また、接続部７２は、横引き管２４に圧入可能な外径に形成されている。
【００５９】
本実施形態の配管洗浄治具６８では、ロート部７０、及び接続部７２が本発明の本体通路に相当し、樋部７４が本発明の樋部に相当する。また、ロート部７０の上端が、本発明の挿入部に相当する。
【００６０】
本実施形態の配管洗浄治具６８は、図６に示すように、接続部７２を横引き管２４の上流側の端部に差し込んで用いる。
図６に示すように、洗浄ホース６０は、ロート部７０の上端からを挿入し、横引き管２４の内部に噴射ノズル６４（図６では図示省略）を配置する。その後、噴射ノズル６４から洗浄水を噴射しながら洗浄ホース６０をサイホン排水管２２の下流側に送り込み、洗浄作業を行う。
【００６１】
横引き管２４の上端から溢れ出た洗浄水は、矢印Ｅで示すように、接続部７２、ロート部７０、及び樋部７４を介して排出されて洗浄水受け６６に溜まる。
【００６２】
［その他の実施形態］
以上、本発明の一実施形態について説明したが、本発明は、上記に限定されるものでなく、上記以外にも、その主旨を逸脱しない範囲内において種々変形して実施可能であることは勿論である。
【００６３】
上記参考例、及び実施形態では、呼び径が２０Ａのサイホン排水管２２の洗浄を行う例を説明したが、本発明はこれに限らず、洗浄を行う配管の呼び径は２０Ａを超えるものであっても良く、下回るものであっても良い。
【００６４】
上記参考例、及び実施形態では、配管洗浄治具３０を用いてサイホン排水管２２の洗浄を行う例を説明したが、本発明はこれに限らず、サイホン排水管２２以外の、例えば、圧送排水配管等の他の種類の排水管の洗浄を行うこともでき、給水管、水以外の流体を送る配管等の排水管以外の配管の洗浄を行うこともできる。
【００６５】
上記参考例の配管洗浄治具３０に用いたチーズ３２は、第１の拡径部４４、第２の拡径部４６、分岐管部４２が全て呼び径２０Ａの配管を接続するものであったが、分岐パイプ３６を接続する分岐管部４２を、横引き管２４を接続する第１の拡径部４４よりも大径とすると共に本管部４０の通路４０Ａの径よりも分岐管部４２の通路４２Ａの径を大とし、分岐管部４２に横引き管２４よりも大径の分岐パイプ３６を接続し、該大径の分岐パイプ３６に合わせてエルボ３８も大型のものに変更しても良い。なお、通路４０Ａと通路４２Ａとは直接接続しても良く、通路４０Ａから通路４２Ａに向けて徐々に拡径する拡径部を介して接続しても良い。この場合、本管部４０の通路４０Ａの径よりも分岐管部４２の通路４２Ａの径が大となるため、本管部４０の通路４０Ａの通路断面積よりも、分岐管部４２の通路４２Ａの通路断面積が大となる。
【００６６】
これにより、横引き管２４の上端から溢れた洗浄水が分岐パイプ３６側に流れ易くなり、洗浄水の延長パイプ３４側へ向かう量を減少させることができ、洗浄水の流出をより確実に抑制することが可能となる。
【００６７】
上記参考例の配管洗浄治具３０では、サイホン排水管２２がチーズ３２に挿入される構成であったが、チーズ３２がサイホン排水管２２に挿入される構成としても良い。
また、上記参考例の配管洗浄治具３０では、分岐パイプ３６の他端にエルボ３８が取り付けられていたが、洗浄水を受けることができれば分岐パイプ３６の他端にエルボ３８が取り付けられていなくても良い。
【００６８】
上記参考例では、配管洗浄治具３０を横引き管２４に接続したが、図７に示すように、トラップ２０に清掃口２０Ａが設けられている場合、清掃口２０Ａに配管洗浄治具３０を接続しても良い。
【００６９】
上記参考例では、配管洗浄治具３０のチーズ３２が略Ｔ字形状を呈していたが、図８に示すように、チーズ３２はＹ字形状のものであっても良い。図８に示す例の場合、チーズ３２に分岐パイプ３６が取り付けられているが、分岐パイプ３６は無くても良い。
【００７０】
上記参考例では、横引き管２４から溢れ出た洗浄水をバケツ等の洗浄水受け６６で回収するようにしたが、図９に示すように、ビニール袋等の防水性の袋７６を分岐管部４２に取り付け、洗浄水を袋７６で回収するようにしても良い。
【符号の説明】
【００７１】
２２…サイホン排水管（配管）、６０…洗浄ホース、６８…配管洗浄治具、７０…ロート部（本体通路）、７２…接続部（本体通路）、７４…樋部
【図１】
0006571986.tif 000002
【図２】
0006571986.tif 000003
【図３】
0006571986.tif 000004
【図４】
0006571986.tif 000005
【図５】
0006571986.tif 000006
【図６】
0006571986.tif 000007
【図７】
0006571986.tif 000008
【図８】
0006571986.tif 000009
【図９】
0006571986.tif 000010